(57)【特許請求の範囲】
【請求項１】
洗面器の下方に電気温水器を設置可能な収納区画が形成される電気温水器の設置構造であって、
前記収納区画の底面部を構成し且つ床面から所定距離離隔した底板と、
前記収納区画の前面部を構成し且つ開放可能な前板と、
前記収納区画内に設けられ、前記電気温水器の被吊持部に係合する吊持部と、
を備え、
前記底板は、設置された前記電気温水器の下方に、厚み方向に貫通した開口が前記前板側が開放端となるように形成され、
前記吊持部は、前記前板を取り外した状態において、前記電気温水器を吊持した状態から当該吊持部位を中心として前方上方に回動させることで前記電気温水器を取り外し可能となるように設けられている電気温水器の設置構造。
【請求項２】
洗面器の下方に電気温水器を設置可能な収納区画が形成される電気温水器の設置構造であって、
前記収納区画の底面部を構成し且つ床面から所定距離離隔した底板と、
前記収納区画の前面部を構成し且つ開放可能な前板と、を備え、
前記底板は、設置された前記電気温水器の下方に、厚み方向に貫通した開口が前記前板側が開放端となるように形成され、
前記底板は、前記開口を成す少なくとも一つの縁部に臨む一定の領域が、前記電気温水器を載置可能な載置部である電気温水器の設置構造。
【請求項３】
前記収納区画は、内部の高さ寸法が、前記電気温水器の設置姿勢における高さ寸法と略等しく構成されている請求項１又は２に記載の電気温水器の設置構造。
【発明の詳細な説明】
【技術分野】
【０００１】
本発明は、トイレユニットに組み込まれる電気温水器の設置構造に関し、より詳細には、トイレユニットの洗面器下部における電気温水器の設置構造にする。
【背景技術】
【０００２】
近年、トイレユニットは使用時の快適さ、掃除やメンテナンスの容易さ等々多様な要請に応え、また、車椅子に乗った利用者にも種々配慮の行き届いた製品の開発が進展しつつある。
このような状況にあって、洗面器（洗面化粧台）の下部に電気温水器を備え、混合水栓を操作したときに直ちに湯又は所望温度の混合水を吐水させることができるようにした給湯設備も提案されている（例えば、特許第４３３５３７３号公報参照）。この提案による給湯設備では、特に、電気温水器の外形寸法の小型化が図られている。
また、車椅子で座ったまま洗髪した際の使い勝手を考慮した洗面台も提案されている（例えば、特開２００１−３２３４４号公報参照）。
【先行技術文献】
【特許文献】
【０００３】
【特許文献１】特許第４３３５３７３号公報
【特許文献２】特開２００１−３２３４４号公報
【発明の概要】
【発明が解決しようとする課題】
【０００４】
しかしながら、特許第４３３５３７３号公報所載の給湯設備では、電気温水器の外形寸法が小型化されてはいるが、その電気温水器を洗面器のキャビネットの底板部に設置する構造である。この構造では、車椅子に乗った利用者が洗面器に接近して手洗や洗顔を行おうとしても、車椅子のフットレストが電気温水器に当たってしまうために十分接近することができない。
【０００５】
一方、特開２００１−３２３４４号公報所載の洗面台では、車椅子に乗った利用者が洗面器に十分接近することができる構造を採るが、電気温水器を設置することについての別段の配慮はない。
実際に電気温水器を設置するに際しては、単に、車椅子に乗った利用者が洗面器に十分接近することができるのみならず、電気温水器のメンテナンス時に容易に取り外すことができることが重要であるが、上記何れの特許文献にもこの点での課題認識を欠く。
【０００６】
本発明は、上記事情に鑑みてなされたものであり、洗面器下部に電気温水器を設置しても、車椅子に乗った利用者が洗面器に十分接近することができ、且つ、メンテナンス時に容易に取り外すことができる電気温水器の設置構造を提供することを目的とする。
【課題を解決するための手段】
【０００７】
上記目的を達成するべく、ここに次のような技術を提案する。
【０００８】
洗面器（例えば、後述の洗面器６０）の下方に電気温水器（例えば、後述の電気温水器６４）を設置可能な収納区画（例えば、後述の収納区画６００）が形成される電気温水器の設置構造であって、
前記収納区画の底面部を構成し且つ床面から所定距離離隔した底板（例えば、後述の底板６１０）と、
前記収納区画の前面部を構成し且つ取り外し可能な前板（例えば、後述の洗面前板４２５）と、を備え、
前記底板は、設置された前記電気温水器の下方に、厚み方向に貫通した開口（例えば、後述の開口６２０）が前記前板側が開放端となるように形成されている電気温水器の設置構造。
【０００９】
また、前記収納区画は、内部の高さ寸法（例えば、後述の高さＨ１とＨ２との差分よりも小さい限定的な寸法）が、前記電気温水器の設置姿勢における高さ寸法と略等しく構成されていることが好ましい。
【００１０】
また、前記収納区画内に設けられ、前記電気温水器の被吊持部（例えば、後述の被吊持部６５）に係合する吊持部（例えば、後述の吊持部６３０）をさらに備え、
前記吊持部は、前記前板を取り外した状態において、前記電気温水器を吊持した状態から当該吊持部位を中心として前方上方に回動（例えば、後述の図６の二点鎖線の矢印方向に回動）させることで前記電気温水器を取り外し可能となるように設けられていることが好ましい。
【００１１】
また、前記底板は、前記開口を成す少なくとも一つの縁部に臨む一定の領域が、前記電気温水器を載置可能な載置部(例えば、後述の載置部６４０)であることが好ましい。
【発明の効果】
【００１２】
本発明によれば、洗面器下部に電気温水器を設置しても、車椅子に乗った利用者が洗面器に十分接近することができ、且つ、メンテナンス時に容易に取り外すことができる電気温水器の設置構造を提供することができる。
【図面の簡単な説明】
【００１３】
【図１】本発明の実施形態としての電気温水器の設置構造を有するトイレユニットの斜視図である。
【図２】図１のトイレユニットにおける側方ライニングの正面図である。
【図３】図１及び図２における洗面器周りの構造を表す図である。
【図４】図３の洗面器下部に電気温水器を吊持する構造を表す図である。
【図５】図３の洗面器下部における電気温水器の収納区画の底板を表す図である。
【図６】図３の洗面器下部の収納区画に設置された電気温水器の取り出し操作を説明するための図である。
【発明を実施するための形態】
【００１４】
以下、図面を参照して本発明の実施形態について詳述することにより本発明を明らかにする。
図１は、本発明の実施形態としての電気温水器の設置構造を有するトイレユニットの斜視図である。
トイレユニット１は、車いすに乗った状態で出入りが可能なトイレルームに設置される。このトイレユニット１は、図示の便器１０と、汚物流しユニット２０と、後方ライニング３０と、側方ライニング４０と、この側方ライニング４０の上面に設けられる手洗器５０及び洗面器６０と、側方ライニング４０の前面４０ａに配置される操作部７０と、可動手すり３２と、固定手すり３３と、を備える。また、側方ライニング４０の内部には、図１では見えない給水部及び排水部が配置される。
【００１５】
便器１０は、便器本体１１と、この便器本体１１の上部に便器本体１１に対して開閉可能に取り付けられる便座１２と、を含んで構成される。
【００１６】
汚物流しユニット２０は、便器１０の右側方に配置される。汚物流しユニット２０は、人工肛門や人工膀胱を造設した使用者が汚物を廃棄する場合等に用いられる。この汚物流しユニット２０は、汚物及び洗浄水を受けるボウル部２１と、このボウル部２１の上方に配置される水栓２２、鏡２３及び液体せっけん収容容器２４と、を備える。
【００１７】
後方ライニング３０は、便器１０及び汚物流しユニット２０の後方に配置される。より具体的には、後方ライニング３０は、少なくとも前面３０ａ及び上面３０ｂを有する箱状に構成され、平面視における長辺がトイレルームの後方壁面１０１に沿うように、かつ、短辺がトイレルームの側方壁面１０２に沿うように配置される。そして、この後方ライニング３０の前面３０ａに、便器１０及び汚物流しユニット２０が取り付けられる。また、後方ライニング３０の前面３０ａにおける便器１０の上方には、背もたれ３１が取り付けられる。
【００１８】
側方ライニング４０は、便器１０の左側方に配置される。より具体的には、側方ライニング４０は、箱状に構成され、長辺がトイレルームの側方壁面１０２に沿うように、かつ、短辺が後方ライニング３０の前面３０ａの前側に位置するように配置される。
側方ライニング４０の上面はカウンター４６として構成される。また、側方ライニング４０の前面４０ａは、複数の前板で構成される。即ち、中央上部前板４２１と、中央下部前板４２２と、第１側部前板４２３と、第２側部前板４２４と、洗面前板４２５と、により構成される。
【００１９】
また側方ライニング４０の、側面は複数の側板で構成される。即ち、手洗側側板４３１と、洗面側側板４３２と、により構成される。
側方ライニング４０の下部には床面１０３との間に巾木４４が張りめぐらされている。更に、側方ライニング４０の下部には、ダストボックス４５が設置される区画が設けられ、この区画の前面側は部分的に中央下部前板４２２で覆われている。中央下部前板４２２の上辺側に、廃棄物をダストボックス４５に投入するための投入用開口４５０が設けられている。
【００２０】
手洗器５０は、底部に排水開口５１ａが形成された手洗ボウル部５１と、手洗側水栓５２とを有する。
また、洗面器６０は、底部に排水開口６１ａが形成された洗面ボウル部６１と、洗面側水栓６２と、液体せっけん収容容器６３とを有する。
また、操作部７０には、便座１２の温水の吐出操作を行う操作部７１と、ボタンを押すことにより便器１０の洗浄操作を行うタッチ操作部７２とが備えられている。
タッチ操作部７２の下部には、中央上部前板４２１に紙巻器１１５が取り付けられる。
側方ライニング４０の上面はカウンター４６をなしているが、このカウンター４６では、手洗器５０が設けられた手洗側水平板部４６４と、洗面器６０が設けられた洗面側水平面部４６５とが、後者の方が低くなるような段差をなして連なっている。
【００２１】
図２は、図１のトイレユニット１における側方ライニング４０の正面図である。図２において、図１との対応部は同一の符号により示し、これら各部の詳細な説明は省略する。
尚、破線図示のように、側方ライニング４０内の中央上部前板４２１の奥には手洗側電磁弁８３が設けられ、第１側部前板４２３奥には排水部９０を構成する手洗側排水管９１が設けられている。
図２では、特に、手洗側水平板部４６４より洗面側水平面部４６５の方が段差を成して低くなり、洗面側水平面部４６５の高さがＨ１であることが示されている。
洗面側水平面部４６５の高さＨ１がこのように低く設定されているのは、車椅子に乗ったままの使用者が洗面側水平面部４６５に腕（肘）を当てて体を支えながら、手洗や洗顔ができるようにするためである。
【００２２】
一方、洗面ボウル部６１の下方に電気温水器６４を設置する収納区画６００が、図１にも表された洗面前板４２５の後方（奥側）に構成されている。この収納区画６００の底部を構成する底板（図２では水平の線分の如く破線図示）６１０が床面１０３から所定距離Ｈ２離隔した水準位置を保つように設けられている。ここに、所定距離Ｈ２は、車椅子に乗った使用者の下肢の部分が収納区画６００に干渉されることなく洗面ボウル部６１に十分に近付くことができるだけの高さに相当する距離である。
即ち、この実施形態では、電気温水器６４の収納区画６００の下方に車椅子に乗った使用者の下肢の部分の進入を許容する高さＨ２の空間が確保される。
尚、電気温水器６４は被吊持部６５をその上部に有し、この被吊持部６５で後述する吊持部により吊持されている。
【００２３】
図３は、図１及び図２における洗面器６０周りの構造を表す図であり、特に、洗面前板４２５を開放した様子を表している。
図３において、既述の図１及び図２との対応部には同一の符号が附されている。
洗面器６０下方の収納区画６００は、外形が縦長で小型の小容量のものである等の所定仕様の電気温水器６４を設置可能なものであり、複数の縦フレーム４１１と横フレーム４１２によって外形が維持されている。
洗面前板４２５を開放すると底板６１０で底部側が区画された収納区画６００に設置された電気温水器６４が露呈する。
底板６１０の電気温水器６４の設置位置に対応する部位には、左側縁部６１１及び右側縁部６１２によって左右方向の幅が規定された開口６２０が設けられ、図示のとおり、この開口６２０は、洗面前板４２５側が開放端となっている。
【００２４】
図４は、図３の洗面器６０下部に電気温水器６４を吊持する構造を表す図である。
電気温水器６４は、外形が縦長の柱状で、小型小容量の仕様のものであり、その上部に、給水や出水の配管接続部と共に、金属板の被吊持部６５が設けられている。また、図示の電気温水器６４は、下部に排水栓６４ｄが設けられており、冬季などにおける不使用時にはこの排水栓６４ｄから排水して凍結を防止する。更に、電気温水器６４の下方背面には面ファスナー６６ａが設けられている。
図２を参照して集合的に表した横フレームのうちの一つである奥側の上側横フレーム４１２ａに電気温水器６４の被吊持部６５に対応する、金属製のフックである吊持部６３０が設けられている。また、図示のとおり、上側横フレーム４１２ａと下側横フレーム４１２ｂとが設けられ、これら上下の横フレーム間は縦フレーム４１１によって一定間隔が保たれた構造をなしている。下側横フレーム４１２ｂには、電気温水器６４の面ファスナー６６ａに対応する面ファスナー６６ｂが設けられている。
一方、図３を参照して既述のとおり、底板６１０の電気温水器６４の設置位置に対応する部位には、左側縁部６１１及び右側縁部６１２によって左右方向の幅が規定された開口６２０が設けられている。図４の状態では、開口６２０の後方縁を規定する後側縁部６１３が露呈している。
【００２５】
図４では、電気温水器６４は、未だ収納区画６００の外にあって、取付前の状態である。この状態から、電気温水器６４の被吊持部６５を、収納区画６００内の上述した吊持部６３０に引っ掛けた上、双方の面ファスナー６６ａ及び６６ｂを接合させる。
本実施形態の設置構造に適用する電気温水器６４は、既述のとおり、小型で小容量のものである。従って、電気温水器６４の上部に設けられた金属板の被吊持部６５を金属製のフックである吊持部６３０に引っ掛けた上、下部にて面ファスナー６６ａ及び６６ｂで止めるだけの簡単な手法で、耐震性等の見地からも十分に耐力のある設置を行うことができる。
【００２６】
図５は、図３の洗面器６０下部における電気温水器６４の収納区画６００の底板６１０を表す図である。
底板６１０には、図４を参照して既述のとおり、左側縁部６１１、右側縁部６１２及び後側縁部６１３によって規定される開口６２０が形成され、この開口６２０の洗面前板４２５側は開放端である。
底板６１０における開口６２０は、底板６１０上方に設置された電気温水器６４下部の板面６１０ａへの投影形状６４ａ（二点鎖線図示）を少なくとも部分的にカバーする形状で底板６１０の厚み方向に貫通している。
底板６１０の、開口６２０よりも奥側の部分、即ち、開口６２０を成す一つの縁部である後側縁部６１３を前縁部とする一定の領域は、電気温水器６４（その底部の後半部分）を載置可能な載置部６４０を成している。
底板６１０の載置部６４０によって電気温水器６４による荷重の一部を分散させて受け、安定して支持でき、且つ、特定の構造部に荷重が集中することが回避されるため、耐久性にも優れる。
【００２７】
底板６１０に上述のような開口６２０が形成されているため、車椅子に乗った使用者の下肢の部分の進入を許容する高さＨ２の空間（図２）を収納区画６００の下方に確保しつつ、洗面ボウル部６１の洗面側水平面部４６５の高さＨ１を、この使用者が手洗や洗顔をすることができる範囲のものに抑制することが可能になる。
即ち、収納区画６００の上下の寸法は、高さＨ１とＨ２との差分よりも小さい限定的なものであるが、収納区画６００電気温水器６４を設置したり取り出したりするに際して、上述の開口６２０が底板６１０に設けられているため、作業者の手が底板６１０と干渉するおそれが極小となり、作業性が損なわれない。
【００２８】
図６は、図３の洗面器６０下部の収納区画６００に設置された電気温水器６４の取り出し操作を説明するための図である。
図６は、既述の収納区画６００を側面視した場合の模式図であり、図１から図５の各図との対応部には同一の符号が附してある。
図６の側面視において、収納区画６００は、その前面と底面とが、洗面前板４２５と底板６１０とによって画定され、その内部に、電気温水器６４が、その被吊持部６５の吊持部位（この実施形態では金属板である被吊持部の孔部）６３０ａで吊持部６３０により吊持されるようにして設置されている。
【００２９】
電気温水器６４が図６の姿勢にある場合、洗面前板４２５を開放すれば、底板６１０に設けられた既述の開口６２０を通して、作業者は容易に電気温水器６４の底部に手を回すことができる。この状態で、電気温水器６４を吊持部位６３０ａを中心として二点鎖線の矢印の如く前方上方に回動させれば、図４を参照して説明した面ファスナー６６ａ及び６６ｂの接合が解除され、更に回動させれば、吊持部位６３０ａでの吊持も解除される。
上述のような作業を行うに際し、開口６２０は洗面前板４２５側に開放されるように形成されているため、電気温水器６４を回動させる時に、電気温水器６４の下部が底板６１０に干渉しない。また、洗面前板４２５自体が開放されていれば、作業する手に干渉するものがなく、作業性が良好である。
更に、電気温水器６４の下部が開口６２０となっていることから、電気温水器６４を取り付けたままの状態で、排水栓６４ｄを開栓して水抜き作業を行うことが可能である。
【００３０】
また、既述の図２及び図３、並びに、図６を参照して容易に理解されるとおり、収納区画６００の上下の寸法は、高さＨ１とＨ２との差分よりも小さい限定的なものである。そして、この上下の寸法は、電気温水器６４の縦方向の寸法、即ち、設置姿勢における被吊持部６５を除く本体部分の高さ寸法に略等しいとも言える程度のものである。
このため、洗面器６０の上面（洗面側水平面部４６５）の高さを、車椅子に乗ったままの使用者に適合する高さＨ１に抑えつつ、収納区画６００の下方には、この使用者のフットレスト上の足部など下肢の部分の進入を許容するだけの空間が確保される。従って、使用者は洗面器６０に十分接近して、容易に手洗や洗顔などを行うことができる。
【００３１】
以上説明した本実施形態の電気温水器の設置構造によれば、以下のような効果を奏する。
【００３２】
電気温水器６４を設置する収納区画６００は、洗面器６０の下方において、当該収納区画６００の底板６１０から床面１０３までの一定の空間が確保される。このため、例えば、車椅子に乗ったままの使用者が、フットレスト上の足部など下肢の部分を上記の空間に進入させて、洗面器６０に十分接近でき、手洗や洗顔などを行うことができる。また、当該収納区画６００の底板６１０には、電気温水器６４の下方に、厚み方向に貫通した開口６２０が形成されている。このため、収納区画の上下寸法を、電気温水器６４の設置を可能にする最小限の寸法にしても、電気温水器６４を取り出す際に、この開口６２０が電気温水器６４下部を動かす操作を容易にする。
【００３３】
特に、電気温水器６４の収納区画６００は、内部の高さ寸法（図２の高さＨ１とＨ２との差分よりも小さい限定的な寸法）が、電気温水器６４の設置姿勢における高さ寸法と略等しい。このため、洗面器６０の上面の高さを、車椅子に乗ったままの使用者に適合する高さに抑えつつ、収納区画６００の下方には、この使用者のフットレスト上の足部などの下肢の部分の進入を許容するだけの空間が確保される。従って、使用者は洗面器６０に十分接近して、容易に手洗や洗顔などを行うことができる。
【００３４】
また特に、電気温水器６４は収納区画内６００に吊持により簡単に保持される。電気温水器６４を、このように吊持された姿勢から当該吊持部位６３０ａを中心として前方上方に回動させて前板４２５が開放された前方に移動させれば吊持が解除される。従って、容易に取り出すことができメンテナンス等に際しての作業性が良好である。
【００３５】
また特に、底板６１０の載置部６４０によって電気温水器６４による荷重の一部を分散させて受け、安定して支持できると共に耐久性にも優れる。
【符号の説明】
【００３６】
１  トイレユニット
１０  便器
４０  側方ライニング
６０  洗面器
６１  洗面ボウル部
６４  電気温水器
６４ａ  電気温水器下部の、板面への投影形状
６４ｄ  排水栓
６５  被吊持部
６６ａ、６６ｂ  面ファスナー
４１１  縦フレーム
４１２  横フレーム
４１２ａ  上側横フレーム
４１２ｂ  下側横フレーム
４２５  洗面前板
４６５  洗面側水平面部
６００  収納区画
６１０  底板
６１０ａ  板面
６１１  左側縁部
６１２  右側縁部
６１３  後側縁部
６２０  開口
６３０  吊持部
６３０ａ  吊持部位
６４０  載置部
【図１】
0006333142.tif 000002
【図２】
0006333142.tif 000003
【図３】
0006333142.tif 000004
【図４】
0006333142.tif 000005
【図５】
0006333142.tif 000006
【図６】
0006333142.tif 000007